(57)【要約】【課題】室内を汚すことなく羽根５に付着した埃を清掃することができることを目的とする。【解決手段】羽根５に付着した埃を除去する埃除去部６を備え、埃除去部６は、羽根５の上面に設けられ埃をかき集める埃除去手段７と、埃除去手段７が移動するレール状の埃除去手段移動部８と、埃除去手段移動部８の外周側端部２６と埃除去手段７とを接続する弾性体９と、前記埃除去手段移動部８の下方に位置する羽根５の内部に設けられたおもり１０が移動するおもり移動部１１と、埃除去手段移動部８のシャフト２側端部を経由して埃除去手段７とおもり１０とを接続した牽引手段１２とを備え、回転部３の回転による遠心力によっておもり１０がおもり移動部１１内で回転軸２１の外周側へ移動し牽引手段１２が埃除去手段７を回転軸２１の内周側へ移動させることで、羽根５に付着した埃を室内に落下せず清掃を行う天井扇１を得られる。【選択図】図２
2018053852.tif 000002
【特許請求の範囲】
【請求項１】
シャフトと、
前記シャフトに接続された回転部を有するモータと、
前記回転部に接続された羽根とで構成される天井扇であって、
前記羽根に付着した埃を除去する埃除去部を設け、
前記埃除去部は、
前記羽根の上面に設けられ埃をかき集める埃除去手段と、
前記埃除去手段が移動するレール状の埃除去手段移動部と、
前記埃除去手段移動部の外周側端部と前記埃除去手段とを接続する弾性体と、
前記埃除去手段移動部の下方に位置する前記羽根の内部に設けられたおもりが移動するおもり移動部と、
前記埃除去手段移動部のシャフト側端部を経由して前記埃除去手段と前記おもりとを接続した牽引手段と、
を備えたことを特徴とする天井扇。
【請求項２】
前記回転部に埃を回収する埃回収部を設け、
前記埃回収部は、
埃を分離する清掃手段と、
前記清掃手段が分離した埃を回収して前記回転部の底面に落下させる通路を備えた埃収納部と、
前記埃収納部の前記回転部の底面には埃を吸出す吸出し穴を備え、
前記吸出し穴には前記埃収納部より収集された埃の落下を防ぐ逆流防止弁を備えたことを特徴とする請求項１に記載の天井扇。
【発明の詳細な説明】
【技術分野】
【０００１】
本発明は、天井扇に関するものである。
【背景技術】
【０００２】
従来、天井扇の羽根の清掃装置として、羽根の回転にあわせて除去手段を移動させてその羽根に付着した埃を脱落させて除去するものが知られていた（例えば特許文献１参照）。
【０００３】
以下、羽根の清掃装置について図５を参照しながら説明する。
【０００４】
図５に示すように、天井扇は、本体１０１と、モータ１０２と、羽根１０３と、レール１０４と、制御手段１０５と、除去手段１０６とで構成されている。天井扇の運転時に、羽根１０３に付いた埃を除去手段１０６がレール１０４に沿って回転軸１０７から離れる外周側に移動し羽根１０３に付着した埃を脱落させて除去させることで、羽根１０３に付いた埃を清掃することができるものであった。
【先行技術文献】
【特許文献】
【０００５】
【特許文献１】特開２０１２−１６７６５７号公報
【発明の概要】
【発明が解決しようとする課題】
【０００６】
このような従来の天井扇においては、羽根に付着した埃は羽根の中心部から外周側の端部に向かって除去手段が移動して清掃を行うが、羽根の端部である外側から埃が落下し室内が汚れてしまう可能性がある、という課題を有していた。
【０００７】
そこで本発明は、上記従来の課題を解決するものであり、羽根に付着した埃を室内に落下させることなく清掃を行うことができる天井扇を提供することを目的とする。
【課題を解決するための手段】
【０００８】
そして、この目的を達成するために、本発明に係る天井扇は、
シャフトと、
前記シャフトに接続された回転部を有するモータと、
前記回転部に接続された羽根とで構成される天井扇であって、
前記羽根に付着した埃を除去する埃除去部を設け、
前記埃除去部は、
前記羽根の上面に設けられ埃をかき集める埃除去手段と、
前記埃除去手段が移動するレール状の埃除去手段移動部と、
前記埃除去手段移動部の外周側端部と前記埃除去手段とを接続する弾性体と、
前記埃除去手段移動部の下方に位置する前記羽根の内部に設けられたおもりが移動するおもり移動部と、
前記埃除去手段移動部のシャフト側端部を経由して前記埃除去手段と前記おもりとを接続した牽引手段と、
を備えた、
としたものであり、これにより所期の目的を達成するものである。
【発明の効果】
【０００９】
本発明によれば、
シャフトと、
前記シャフトに接続された回転部を有するモータと、
前記回転部に接続された羽根とで構成される天井扇であって、
前記羽根に付着した埃を除去する埃除去部を設け、
前記埃除去部は、
前記羽根の上面に設けられ埃をかき集める埃除去手段と、
前記埃除去手段が移動するレール状の埃除去手段移動部と、
前記埃除去手段移動部の外周側端部と前記埃除去手段とを接続する弾性体と、
前記埃除去手段移動部の下方に位置する前記羽根の内部に設けられたおもりが移動するおもり移動部と、
前記埃除去手段移動部のシャフト側端部を経由して前記埃除去手段と前記おもりとを接続した牽引手段と、
を備えた、
という構成にしたことにより、回転部の回転による遠心力によっておもりがおもり移動部内で回転軸の外周側へ移動し牽引手段が埃除去手段を回転軸の内周側へ移動させることとなるので、羽根に付着した埃を室内に落下させることなく清掃を行うことができる、という効果を得ることができる。
【図面の簡単な説明】
【００１０】
【図１】本発明の実施の形態１に係る天井扇の側面図
【図２】同天井扇の側面の一部分の構成図
【図３】同天井扇の羽根の清掃時における動作を示す図（（ａ）運転動作前の状態を示す図（ｂ）運転動作開始の状態を示す図（ｃ）運転動作継続の状態を示す図（ｄ）停止動作前の状態を示す図（ｅ）停止動作開始の状態を示す図（ｆ）停止動作継続の状態を示す図）
【図４】同天井扇の外郭を示す斜視図
【図５】従来の天井扇を示す斜視図
【発明を実施するための形態】
【００１１】
本発明に係る天井扇は、
シャフトと、
前記シャフトに接続された回転部を有するモータと、
前記回転部に接続された羽根とで構成される天井扇であって、
前記羽根に付着した埃を除去する埃除去部を設け、
前記埃除去部は、
前記羽根の上面に設けられ埃をかき集める埃除去手段と、
前記埃除去手段が移動するレール状の埃除去手段移動部と、
前記埃除去手段移動部の外周側端部と前記埃除去手段とを接続する弾性体と、
前記埃除去手段移動部の下方に位置する前記羽根の内部に設けられたおもりが移動するおもり移動部と、
前記埃除去手段移動部のシャフト側端部を経由して前記埃除去手段と前記おもりとを接続した牽引手段と、
という構成を有する。これにより、回転部の回転による遠心力によっておもりがおもり移動部内で回転軸の外周側へ移動し牽引手段が埃除去手段を回転軸の内周側へ移動させる、こととなるので、羽根に付着した埃を室内に落下させることなく清掃を行うことができる、という効果を奏する。
【００１２】
また、
前記埃回収部は、
埃を分離する清掃手段と、
前記清掃手段が分離した埃を回収して前記回転部の底面に落下させる通路を備えた埃収納部と、
前記埃収納部の前記回転部の底面には埃を吸出す吸出し穴を備え、前記吸出し穴には前記埃収納部より収集された埃の落下を防ぐ逆流防止弁を備えたという構成にしてもよい。これにより、回転部の回転による遠心力によっておもりが前記おもり移動部内で回転軸の外周側へ移動し牽引手段が埃除去手段を回転軸の内周側へ移動させて埃を埃回収部の回転部の底面に集め逆流防止弁を備えた吸出し穴より吸って埃を除去する、こととなるので、より羽根に付着した埃を室内に落下させることなく清掃を行うことができる、という効果を奏する。
【００１３】
以下、本発明の実施の形態について図面を参照しながら説明する。
【００１４】
（実施の形態１）
最初に、本実施の形態に係る天井扇について図１、２を参照しながら説明する。
【００１５】
天井扇１は、天井２３に取り付けられる扇風機であり、シーリングファンとも呼ばれる。
【００１６】
天井扇１は、シャフト２と、本体カバー２０と、複数枚の羽根５とを備える。
【００１７】
羽根５の下方の表面である送風面１９によって、鉛直下方向へ風を送る。
【００１８】
シャフト２は、中空円筒形の棒状であり、上端を天井２３や天井裏に設けられる梁等に固定される。
【００１９】
また、シャフト２は、天井２３に固定された上端から鉛直下方に位置させて固定される。
【００２０】
本体カバー２０は、天井２３の鉛直下方からモータ４を覆うように設けられている。また、本体カバー２０はモータ４に固定されている。
【００２１】
羽根５は、モータ４の回転部３であるローターの外周側に複数枚（本実施の形態では４枚）設けられている。羽根５は、シャフト２に外周側へ向けて放射状に設けられる。そして、天井扇１の内部構造について説明する。なお図２は天井扇１の回転時における側面の一部分の構成図である。また、図２においては天井扇１における各部の構造を図１と比較して簡略化して示している。
【００２２】
まず、始めに埃除去部６について説明する。
【００２３】
天井扇１は、図１に示した各部に加えて、さらに埃除去部６を備える。埃除去部６は、埃除去手段７と埃除去手段移動部８と弾性体９とおもり１０とおもり移動部１１と牽引手段１２と滑車１３とを備えている。
【００２４】
埃除去手段移動部８はレール状であり、羽根５の上面（図４参照）に備えられている。具体的には、埃をかき集める埃除去手段７が移動する箇所である。埃除去手段７は、埃除去手段移動部８の垂直上方向に羽根５の外側と中心側の両端を結ぶ直線上に、羽根５と埃除去手段移動部８の上面に沿うように備えられている。埃除去手段７は、羽根５の上面の長手方向を埃除去手段移動部８に沿って移動することが出来る。
【００２５】
弾性体９は、埃除去手段移動部８の外周側端部２６と埃除去手段７とを接続している。弾性体９の最大伸長は、埃除去手段移動部８の移動する長さよりも短い。弾性体９は、具体的にはコイルバネが該当するが、特にバネの種類には限定せず、バネと同様に伸縮可能であれば他の部材でもよい。
【００２６】
おもり移動部１１は、羽根５の内部に設けられており、埃除去手段移動部８の下方に位置している。おもり移動部１１は埃除去手段移動部８の長手方向と同等の長さである。
【００２７】
おもり１０は、おもり移動部１１の内部に設けられている。おもり移動部１１の長手方向つまり羽根５の遠心力が働く方向の長さは、埃除去手段移動部８と同等の長さである。
【００２８】
牽引手段１２は、埃除去手段移動部８のシャフト２側端部に設けた滑車１３を経由して埃除去手段７とおもり１０とを接続し、埃除去手段移動部８とおもり移動部１１の内部に設けられている。牽引手段１２の一端は、埃除去手段７に接続されており、滑車１３を介してもう一端がおもり１０に繋がっている。例えばひもやロープ等の牽引手段１２は、おもり移動部１１の長さと同等の長さである。
【００２９】
続いて、埃回収部１４について説明する。
【００３０】
回転部３の内部に設けている埃回収部１４は、清掃手段１５と埃収納部１６と吸出し穴１７と逆流防止弁１８とを備えている。
【００３１】
埃回収部１４の回転軸２１の上方すなわち埃除去手段７によって埃が移動されているところに、清掃手段１５が設けられている。清掃手段１５は、ほうきの埃を取る櫛のようになっている。清掃手段１５の櫛は、羽根５の外側方向を向いている。清掃手段１５の先端はＵ字型に曲がっている。言い換えると、釣り針のような形状としている。
【００３２】
埃収納部１６は、清掃手段１５の下方に設けられており、埃収納部１６の下部側すなわち底面が開口している。清掃手段１５の下部側から回転軸２１の延長上の底面に設けられた吸出し穴１７にかけて傾斜の通路が設けられている。
【００３３】
吸出し穴１７は、回転軸２１の下方延長線上に位置する埃収納部１６の回転軸２１の延長上に位置する底面に設けられている。
【００３４】
逆流防止弁１８は、吸出し穴１７に設けられている。逆流防止弁１８の上面には逆流防止弁１８が格納可能な空間が設けられている。逆流防止弁１８の形状は、吸出し穴１７より大きく、吸出し穴１７を密閉する。
【００３５】
続いて、天井扇１の本実施の形態に係る主要部の動作について説明する。
【００３６】
まず始めに、埃除去部６の動作について説明する。
【００３７】
天井扇１の停止時には、図２に示す埃除去手段７は、埃除去手段移動部８の回転軸２１側から離れる方向へ弾性体９が縮まっている。また、牽引手段１２は滑車１３を経由して埃除去手段７をおもり１０の遠心力の引っ張りにより牽引している。また、おもり１０は、牽引手段１２によっておもり移動部１１の回転軸２１側に牽引されている。
【００３８】
次に、天井扇１運転時について説明する。
【００３９】
図２に示すように、天井扇１は回転軸２１を中心として回転する。
【００４０】
天井扇１の回転時にはおもり１０には外周側への遠心力がかかる。そのため、おもり１０はおもり移動部１１を外周方向に移動する。ここで、埃除去手段７は牽引手段１２によっておもり１０と接続されているため、おもり１０の外側への移動と同時に埃除去手段７は内側へ移動する。すなわち、埃除去手段７は埃をかき集めて羽根５に付着した埃を内周側へ移動することができる、ということになる。
【００４１】
以上に示したように、運転開始時における埃除去部６の動作は、羽根５の遠心力を利用して回転軸２１外側から内側に向かって行われるため従来の構造に対して羽根５の外周側から埃を落下させること無く埃を除去することが出来る。
【００４２】
続いて、埃回収部１４の動作について説明する。
【００４３】
図２に示すように、埃収納部１６には埃除去手段７と回転部３との間に開口部２５を備えている。運転開始時には、埃除去手段７が埃を外周側からこの開口部２５まで移動させる。埃除去手段７が開口部２５まで移動することにより、図３（ａ）〜（ｆ）の埃除去手段移動方向２４に沿って埃を除去する。具体的には、図３（ａ）のように埃除去手段７と清掃手段１５とが接近する。さらに、埃除去手段７は移動を継続して、図３（ｂ）のように埃除去手段７と清掃手段１５とが接触する。このとき、埃除去手段７との付着力の弱い埃は、清掃手段１５の下部にある埃収納部１６へ落下する。その後、図３（ｃ）に示すように、埃除去手段７は清掃手段１５の先端のＵ字型に曲がっている箇所を超えた位置で移動を停止する。次に天井扇が運転を停止するための動作を開始すると、図３（ｄ）のように位置していた埃除去手段７は外周側へと移動を開始する。外周側へと移動した埃除去手段７は、図３（ｅ）のように再び清掃手段１５と接触する。さらに埃除去手段７は外周側への移動を継続するため、図３（ｆ）のように清掃手段のＵ字型の先端が埃除去手段７に接触してかき落とすように付着した埃を取り除く。そして図２に示すように、埃収納部１６に落下した埃は埃収納部１６の通路に沿って回転軸２１上に落下する。回転軸２１中心部には吸出し穴１７と逆流防止弁１８がある。この穴の底面から掃除機などの吸取り手段２２具体的には掃除機のような吸引装置のホースを挿入すると、逆流防止弁１８が開き、埃収納部１６に堆積した埃を回収することが出来る。
【００４４】
以上に示したように、回転部３の回転による遠心力によっておもり１０がおもり移動部１１内で回転軸２１の外周側へ移動する。そして、牽引手段１２が埃除去手段７を回転軸２１の内周側へ移動させて埃を埃収納部１６の回転部３の底面にかき集める。そして、逆流防止弁１８を備えた吸出し穴１７から吸取り手段２２を挿入して埃を吸って除去することとなる。よって、羽根５に付着した埃を室内に落下させることなく清掃を行うことができることとなる。
【００４５】
また、運転開始時と運転終了時における埃除去部６と埃回収部１４の動作は、遠心力を利用して行われるため、従来の構造に対して別途モータや制御回路を追加することなく、すなわちコストを抑制することができる。
【産業上の利用可能性】
【００４６】
本発明に係る天井扇は、羽根に付着した埃を室内に落下させることなく清掃を行うことができるものであり、鉛直方向に送風するファンを備えた機器に用いる技術として有用である。
【符号の説明】
【００４７】
１    天井扇
２    シャフト
３    回転部
４    モータ
５    羽根
６    埃除去部
７    埃除去手段
８    埃除去手段移動部
９    弾性体
１０    おもり
１１    おもり移動部
１２    牽引手段
１３    滑車
１４    埃回収部
１５    清掃手段
１６    埃収納部
１７    吸出し穴
１８    逆流防止弁
１９    送風面
２０    本体カバー
２１    回転軸
２２    吸取り手段
２３    天井
２４    埃除去手段移動方向
２５    開口部
２６    外周側端部
【図１】
2018053852.tif 000003
【図２】
2018053852.tif 000004
【図３】
2018053852.tif 000005
【図４】
2018053852.tif 000006
【図５】
2018053852.tif 000007